(57)【要約】【課題】洗面台や流し台などの清掃を容易に行い得るようにする。【解決手段】洗面台１１の蛇口１６に取り付けられる水はね防止具１０は、凹状の水受面２４を備える水受板２３有しており、水受板２３の基板部２３ａには蛇口１６の導水管１９が挿通される取付孔２６が形成されている。水受板２３を蛇口１６に取り付ける際には、蛇口１６に沿って案内される水受板２３が洗面ボウル１２の縁に接触するまで押し込まれる。蛇口１６に向けて飛散する水滴は、凹状の水受面２４に受け止められた後に水受板２３の下方に案内され、水受板２３に案内される水滴は洗面ボウル１２内に流れ込む。これにより、洗面台１１の蛇口１６付近に水滴がかかることはなく、清掃に手間を要する蛇口１６や蛇口１６付近のカウンター１３の清掃作業を省くことができる。【選択図】    図１
2005034238.tif 000002
【特許請求の範囲】
【請求項１】
蛇口に取り付けられ、水滴の飛散を防ぐ水はね防止具であって、
取付孔が形成される基板部とこれの両側から湾曲して延びる湾曲板部とを備え、前記基板部と前記湾曲板部とにより凹状の水受面が形成される水受板を有し、
前記取付孔に前記蛇口を挿通するとともに前記水受板の下端を流し内に収容することにより、前記蛇口に向けて飛散する水滴を前記水受板から前記流し内に案内することを特徴とする水はね防止具。
【請求項２】
請求項１記載の水はね防止具において、前記取付孔は前記水受板に形成される切断指示線により区画され、前記切断指示線を切り離すことにより前記取付孔を開口させることを特徴とする水はね防止具。
【請求項３】
請求項１または２記載の水はね防止具において、前記水受板の下部に切断指示線を形成し、前記切断指示線を切り離すことにより前記水受板の高さ寸法を変更することを特徴とする水はね防止具。
【請求項４】
請求項２または３記載の水はね防止具において、前記切断指示線を複数形成することを特徴とする水はね防止具。
【請求項５】
請求項１〜４のいずれか１項に記載の水はね防止具において、前記水受板の上部を前記水受面側に曲げることを特徴とする水はね防止具。
【発明の詳細な説明】
【０００１】
【発明の属する技術分野】
本発明は、洗面台や流し台などに取り付けて水の飛散を防止する水はね防止具に関する。
【０００２】
【従来の技術】
洗面所や台所などの水廻りには洗面台や流し台が設置されている。これらの洗面台や流し台は、水道水を吐出する蛇口を備えるとともに、洗い水を流すための流しである洗面ボウルや洗い槽を備えている。洗面台においては手洗いや洗顔などが行われ、流し台においては食器の洗浄などが行われるが、これらの水仕事によって周囲に水滴が飛び散るため、後片付けに手間が掛かるという問題があった。
【０００３】
そこで、洗面ボウルの脇のカウンターに板材を直立させ、カウンターを超えて飛び散ろうとする水滴を板材によって遮断するようにした水はね防止具が開発されている（たとえば、特許文献１参照）。
【０００４】
【特許文献１】
特開平１１−２２５８９８号公報（第２−３頁、図１）
【０００５】
【発明が解決しようとする課題】
このような従来の水はね防止具は、水滴の飛散を防止する板材をコ字状の固定具を介して洗面台のカウンターに嵌合させるため、汎用性の低い水はね防止具となっていた。また、カウンターの一部を固定具によって覆うため、汚れや湿気がたまり易いだけでなく、金属製の固定具を腐食させるおそれもある。さらには、部品点数が多いため製作コストを削減することが困難となっていた。
【０００６】
また、近年の洗面台や流し台はその使い勝手を向上させるため、大型のカウンターを採用する傾向にあり、従来のようにカウンターを超えて水滴が飛散するということが少なくなっている。ところが、カウンター上に設置される蛇口は複雑な形状を備えることが多いだけでなく、蛇口の背後に設けられるバックガードによってクリアランスが狭められるため、蛇口付近の水滴を拭き取ることは困難となっていた。
【０００７】
しかしながら、従来の水はね防止具は、洗面台や流し台から外部に水滴を飛散させないことに主眼を置いたものが多く、洗面台や流し台内の蛇口付近に飛散する水滴を考慮したものとはなっていないため、蛇口付近に飛散する水滴を遮断する水はね防止具が所望されている。
【０００８】
本発明の目的は、蛇口の背後や蛇口付近に向けて飛散する水滴を遮断することにより、洗面台や流し台などの清掃を容易にすることにある。
【０００９】
本発明の他の目的は、水はね防止具の汎用性を高めるとともに、水はね防止具の低コスト化を達成することにある。
【００１０】
【課題を解決するための手段】
本発明の水はね防止具は、蛇口に取り付けられ、水滴の飛散を防ぐ水はね防止具であって、取付孔が形成される基板部とこれの両側から湾曲して延びる湾曲板部とを備え、前記基板部と前記湾曲板部とにより凹状の水受面が形成される水受板を有し、前記取付孔に前記蛇口を挿通するとともに前記水受板の下端を流し内に収容することにより、前記蛇口に向けて飛散する水滴を前記水受板から前記流し内に案内することを特徴とする。
【００１１】
本発明の水はね防止具は、前記取付孔は前記水受板に形成される切断指示線により区画され、前記切断指示線を切り離すことにより前記取付孔が開口されることを特徴とする。
【００１２】
本発明の水はね防止具は、前記水受板の下部に切断指示線を形成し、前記切断指示線を切り離すことにより前記水受板の高さ寸法を変更することを特徴とする。
【００１３】
本発明の水はね防止具は、前記切断指示線を複数形成することを特徴とする。
【００１４】
本発明の水はね防止具は、前記水受板の上部を前記水受面側に曲げることを特徴とする。
【００１５】
本発明によれば、水受板に取付孔と凹状の水受面とを形成するようにしたので、蛇口に向けて飛散する水滴を水受板により遮断することができ、水受板によって遮断された水滴を流し内に案内することができる。
【００１６】
これにより、洗面台や流し台などの蛇口付近に水滴がかかることはなく、清掃に手間を要する蛇口付近や蛇口背後の清潔作業を省くことができ、洗面台や流し台などの清掃を容易に行うことができる。
【００１７】
また、取付孔を介して蛇口に水受板を取り付けるようにしたので、水はね防止具の取り付けが容易になるだけでなく、様々な洗面台や流し台に対応させることができ、水はね防止具の汎用性を高めるとともに低コスト化を達成することができる。
【００１８】
【発明の実施の形態】
以下、本発明の実施の形態を図面に基づいて詳細に説明する。
【００１９】
図１は本発明の一実施の形態である水はね防止具１０の使用状態を示す斜視図であり、図２は図１の水はね防止具１０を示す拡大斜視図である。また、図３は図２のＡ−Ａ線に沿って水はね防止具１０を示す断面図であり、図４は図２のＢ方向から水はね防止具１０を示す平面図である。
【００２０】
図１に示すように、水はね防止具１０が取り付けられる洗面台１１は、流しとしての洗面ボウル１２と、洗面ボウル１２の周囲を取り囲むように形成されるカウンター１３とを備えている。また、カウンター１３の背後には上方に延びるバックガード１４が取り付けられ、このバックガード１４には化粧鏡１５が取り付けられている。そして、バックガード１４と洗面ボウル１２との間のカウンター１３には蛇口１６が取り付けられている。なお、バックガード１４を全て化粧鏡によって覆うようにしても良い。
【００２１】
蛇口１６は上方に延びる蛇口本体１７を備えており、蛇口本体１７の上端には水栓レバー１８が組み付けられ、蛇口本体１７の外周面にはほぼ水平方向に延びる導水管１９が設けられている。導水管１９の先端には下方に開口する吐水口２０が設けられており、水栓レバー１８を操作することによって吐水口２０から水道水を流すことができる。洗面ボウル１２の底面には排水口２１が形成されており、洗面ボウル１２内に流された水道水は排水口２１より外部に排出される。また、洗面ボウル１２の内壁には洗面ボウル１２内の上限水位を定めるオーバーフロー口２２が形成されており、上限水位に達した水道水はオーバーフロー口２２から排水されるようになっている。
【００２２】
続いて、洗面台１１の蛇口１６に取り付けられる水はね防止具１０について説明する。図１および図２に示すように、水はね防止具１０は水受板２３によって形成されており、水受板２３は、ほぼ平板状の基板部２３ａと、これの両側から前方に湾曲して延びる湾曲板部２３ｂとを備えている。水受板２３には基板部２３ａと湾曲板部２３ｂとによって凹状の水受面２４が形成されており、水受板２３の上部は水受面２４側に曲げるように形成されている。この水受板２３は樹脂材料を用いて一体に成型されており、樹脂材料としてはＰＥＴ（ポリエチレンテレフタレート）樹脂が用いられている。なお、水受板２３を形成する材料としてはＰＥＴ樹脂に限られることはなく、耐水性を備える材料であれば他の材料を用いて水受板２３を形成しても良い。
【００２３】
基板部２３ａのほぼ中央部には、切断指示線である複数のミシン目２５が矩形状や円形状に形成されており、これらミシン目２５によって水受板２３上に複数の取付孔２６が区画されている。ミシン目２５のいずれかを切り離すことにより取付孔２６を水受板２３に開口することができ、このような取付孔２６に導水管１９を挿通することにより、図１に示すように、水はね防止具１０は蛇口１６に取り付けられる。
【００２４】
水受板２３に複数のミシン目２５を形成するようにしたのは、導水管１９の太さや形状に合わせて取付孔２６の大きさや形状を容易に変化させるためであり、これにより水はね防止具１０の汎用性を向上させることができる。また、ＰＥＴ樹脂は容易に切断することができるため、ミシン目２５に代えて印刷や刻印により切断箇所を示す切断指示線を形成するようにしても良い。なお、取付孔２６としては、水受板２３上にミシン目２５などの切断指示線によって区画され、使用時に開口させる取付孔２６に限られることはなく、予め開口された取付孔を水受板２３に形成しても良い。また、切断指示線によって区画された複数の取付孔２６のうち、最小の取付孔を予め開口させても良い。
【００２５】
また、水受板２３を蛇口１６に取り付ける際には、図１および図３に示すように、蛇口１６に沿って案内される水受板２３が洗面ボウル１２の縁に接触するまで押し込まれる。図示する場合には、水受板２３の下端がオーバーフロー口２２の下方に位置することになるが、図３に示すように、水受板２３は若干傾斜して蛇口に取り付けられるため、水受板２３と洗面ボウル１２との間にはオーバーフロー口２２に繋がる隙間が生じることになる。つまり、水受板２３を取り付けた場合であっても、水受板２３と洗面ボウル１２との間に生じる隙間を介して、オーバーフロー口２２と洗面ボウル１２内とは連通状態となるため、オーバーフロー口２２からの排水が阻害されることはない。
【００２６】
さらに、水受板２３の下部には水平方向に延びる切断指示線としてのミシン目２７が複数形成されており、このミシン目２７を切り離すことにより、水受板２３の高さ寸法を短く変更することができる。これにより、蛇口１６とオーバーフロー口２２との間の高さ寸法が変わる各種洗面台に水はね防止具１０を取り付ける場合であっても、オーバーフロー口２２からの排水を確保することができ、水はね防止具１０の汎用性を高めることができる。また、水受板２３によってオーバーフロー口２２を塞いでしまうおそれがある場合であっても、水受板２３の高さ寸法を短く変更することによって、水受板２３の下端をオーバーフロー口２２の上方に位置させることができ、オーバーフロー口２２からの排水を確保することができる。なお、水受板２３の下部に形成される切断指示線としては、ミシン目２７に限られることはなく、印刷や刻印により切断箇所を示す切断指示線を水受板２３に形成しても良い。
【００２７】
またさらに、水受板２３の上部には２つの貫通孔２８が形成されている。この貫通孔２８は取付孔２６の両側にそれぞれ形成されており、それぞれの貫通孔２８は取付孔２６から水受板２３の幅方向にほぼ等間隔となって開口されている。この貫通孔２８は水受板２３を安定させるために設けられており、万一、水受板２３の取付状態が安定しないときには、水受板２３の貫通孔２８に紐の一端を結びつけ、蛇口１６などに紐の他端を結びつけることにより、水受板２３の揺れ動きを抑制することができる。また、バックガード１４や化粧鏡１５に、紐の挿通孔を備えた吸盤やねじ部材を取り付け、これらの吸盤やねじ部材と水受板２３とを紐を介して結ぶようにしても良く、これによって水受板２３の取付状態を更に安定させることができる。
【００２８】
次いで、蛇口１６方向に飛散する水滴の遮断について説明する。まず、洗面台１１の水栓レバー１８を操作することにより、蛇口１６の吐水口２０から水道水を流す際には、洗面ボウル１２に衝突する際の跳ね返りは勿論のこと、洗面台１１で行われる各種作業によっても、水滴が四方八方に飛び散ることになる。このとき、蛇口１６に向けて飛散する水滴は、蛇口１６に取り付けられる水受板２３によって遮断され、遮断された水滴は重力によって水受板２３の下方に案内される。水滴を遮断する水受板２３は、その下端が洗面ボウル１２内に入り込んだ状態となっているため、水受板２３の下方に流れる水滴はそのまま洗面ボウル１２内に流れ込むことになる。このため、水受板２３に遮断される水滴を別途に処理する必要はなく、水受板２３に受け止められた水滴によってカウンター１３を汚すこともない。
【００２９】
なお、蛇口１６からの水量が増大して水滴の飛散状態が激しくなる場合であっても、水受板２３の水受面２４は水平方向に凹状となるだけでなく、水受板２３の上部が水受面２４側に湾曲するため、水受面２４に当たる水滴は洗面ボウル１２に向けて跳ね返ることになる。これにより、水受板２３に衝突した水滴を確実に洗面ボウル１２に案内することができる。
【００３０】
このように、蛇口１６に水はね防止具１０を装着することにより、蛇口１６に向けて飛散する水滴を回収して洗面ボウル１２に戻すことができるため、洗面台１１の蛇口付近に水滴がかかることはなく、清掃に手間を要する蛇口１６や蛇口付近のカウンター１３およびバックガード１４を汚すことはない。特に、蛇口１６の背後に設けられるバックガード１４は、図１および図３に示すように、奥に入り込んでいるために清掃が困難となるが、水はね防止具１０を装着することによってこの困難な清掃作業を解消することができる。したがって、洗面台１１を使用した後の清掃作業としては、障害物のない平滑なカウンター１３に付着した水滴を拭き取る容易な作業のみで良く、この作業を行うだけで洗面台１１を清潔に保つことができる。
【００３１】
また、蛇口１６に水はね防止具１０を装着する際には、水受板２３の取付孔２６に蛇口１６の導水管１９を通すようにしたので、水はね防止具１０の汎用性を向上させることができる。つまり、各種洗面台に設けられる導水管の形状や太さ寸法が大幅に異なることは少ないため、水はね防止具１０を各種洗面台に対応させることができる。
【００３２】
さらに、水受板２３の上部を水受面２４側に湾曲させるようにしたので、湾曲板部２３ｂを備える水受板２３の剛性を高めることができる。またさらに、図４に示すように、水受板２３の上縁２９は後方に湾曲した状態となるため、使用者と水受板２３との間のクリアランスを大きく採ることができ、使用者に圧迫感を与えることもない。
【００３３】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、図示する場合には、水はね防止具１０を洗面台１１に取り付けているが、流しとしての洗い槽を備える流し台に本発明の水はね防止具１０を取り付けても良い。
【００３４】
また、水はね防止具１０の形状は、図示する形状に限られることはなく、洗面台１１や流し台の形状に応じて適宜変更しても良い。たとえば、図示する水受板２３の基板部２３ａは、ストレートタイプの洗面ボウルに合わせるためほぼ平板状に形成されているが、この形状に限られることはなく、ラウンドタイプの洗面ボウルに合わせて基板部２３ａを水平方向に湾曲させても良い。
【００３５】
【発明の効果】
本発明によれば、水受板に取付孔と凹状の水受面とを形成するようにしたので、蛇口に向けて飛散する水滴を水受板により遮断することができ、水受板によって遮断された水滴を流し内に案内することができる。
【００３６】
これにより、洗面台や流し台などの蛇口付近に水滴がかかることはなく、清掃に手間を要する蛇口付近や蛇口背後の清潔作業を省くことができ、洗面台や流し台などの清掃を容易に行うことができる。
【００３７】
また、取付孔を介して蛇口に水受板を取り付けるようにしたので、水はね防止具の取り付けが容易になるだけでなく、様々な洗面台や流し台に対応させることができ、水はね防止具の汎用性を高めるとともに低コスト化を達成することができる。
【図面の簡単な説明】
【図１】本発明の一実施の形態である水はね防止具の使用状態を示す斜視図である。
【図２】図１の水はね防止具を示す拡大斜視図である。
【図３】図２のＡ−Ａ線に沿って水はね防止具を示す断面図である。
【図４】図２のＢ方向から水はね防止具を示す平面図である。
【符号の説明】
１０    水はね防止具
１１    洗面台
１２    洗面ボウル（流し）
１３    カウンター
１４    バックガード
１５    化粧鏡
１６    蛇口
１７    蛇口本体
１８    水栓レバー
１９    導水管
２０    吐水口
２１    排水口
２２    オーバーフロー口
２３    水受板
２３ａ  基板部
２３ｂ  湾曲板部
２４    水受面
２５    ミシン目（切断指示線）
２６    取付孔
２７    ミシン目（切断指示線）
２８    貫通孔
２９    上縁
【図１】
2005034238.tif 000003
【図２】
2005034238.tif 000004
【図３】
2005034238.tif 000005
【図４】
2005034238.tif 000006